(57)【要約】【課題】支柱とプレートの連結強度を容易に高めることのできる柱頭ナットを提供することを目的とする。【解決手段】端縁が中央から縁に向って薄くなるテーパー面に形成された４つの張り出し片２ｂを有する十字形状の平板部材６をテーパー面３側が内側となるように曲折させて形成した逆箱型部材２と、該逆箱型部材２の下方開口部の内側端縁に位置する前記４つの張り出し片２ｂのテーパー面３に当接しその外周縁がテーパー面に形成された平板状の底面部材１０と、これら逆箱型部材２と底面部材１０を連結するボルト１５とからなり、前記逆箱型部材２の上面２ａに形成されたボルト挿通孔４から挿入した前記ボルト１５の雄ネジ１５ａが前記底面部材１０の中央部に形成された雌ネジ１３に締め付け螺合することによって、前記底面部材１０のテーパー面１１が前記張り出し片２ｂのテーパー面３を摺動しながら上面上方へ移動しつつ前記４つの張り出し片２ｂを外側へ拡張させることを特徴とする柱頭ナット１。【選択図】　　　図４
2004084855.tif 000002
【特許請求の範囲】
【請求項１】
端縁が中央から縁に向って薄くなるテーパー面に形成された４つの張り出し片を有する十字形状の平板部材をテーパー面側が内側となるように曲折させて形成した逆箱型部材と、該逆箱型部材の下方開口部の内側端縁に位置する前記４つの張り出し片のテーパー面に当接しその外周縁がテーパー面に形成された平板状の底面部材と、これら逆箱型部材と底面部材を連結するボルトとからなり、前記逆箱型部材の上面に形成されたボルト挿通孔から挿入した前記ボルトの雄ネジが前記底面部材の中央部に形成された雌ネジに締め付け螺合することによって、前記底面部材のテーパー面が前記張り出し片のテーパー面を摺動しながら上面上方へ移動しつつ前記４つの張り出し片を外側へ拡張させることを特徴とする柱頭ナット。
【請求項２】
前記逆箱型部材の上面から外側へ嵌り込み防止爪を突出させたことを特徴とする請求項１記載の柱頭ナット。
【発明の詳細な説明】
【０００１】
【発明の属する技術分野】
本発明は、柱頭ナットに関し、詳しくは支柱とプレート等を一体に連結させるために使用する柱頭ナットに関するものである。
【０００２】
【従来の技術】
従来、図６に示すような住宅の外構等に構築される乾式ブロック構造物５０は、地中に所定間隔で埋設される複数の基台５１と、該基台５１にそれぞれ立設された支柱３０と、各支柱３０間に積重されるブロック５２と、支柱３０を挟む前記ブロック５２同士を連結する連結部材５３と、支柱３０の頭部に架設される上端枠５４と、該上端枠５４の上方に固定される笠木取付プレート５５と、該笠木取付プレート５５に係止されて取付けられる笠木５６とを具備してなるものである。このように構築される乾式ブロック構造物５０の左右方向、すなわちブロック５２の長手方向の位置を固定するための上端枠５４は、支柱３０の頭部に嵌合される柱頭ナット２０及びボルト２６によって各支柱３０の頭部に固定されている。
【０００３】
この柱頭ナット２０は、図７に示すように上面２１の中央にボルト２６を挿通させるためのボルト挿通孔２２を備え、前記上面２１の両端に形成された翼部２３が前記上面２１に対して所定の角度に曲折された逆凹形状をしており、その先端には前記翼部２３に対して所定の角度で曲折された前記柱頭ナット２０を前記支柱３０に係止するための係止部２４が設けられ、また、図８に示すように前記柱頭ナット２０には、前記ボルト挿通孔２２と同軸でボルト２６を締め付け螺合するためのナット２５が前記上面２１の裏側に取付けられている。
【０００４】
この柱頭ナット２０を支柱３０の頭部に設置する場合、図８に示すように前記柱頭ナット２０の両翼部２３を挟み持ち、該両翼部２３を更に曲げることにより前記柱頭ナット２０を支柱３０の内空へ納まる程度に弾性変形させ、その状態で柱頭ナット２０を支柱３０の上部開口から内空へ挿入し、その係止部２４が支柱３０の頭部付近の側面に設けられた係止孔３１と合致する位置で前記両翼部２３を放すことにより、前記柱頭ナット２０は元の形状に復元し、該係止部２４が係止孔３１と係合して、柱頭ナット２０が支柱３０の先端近傍に取付けられる。そして、支柱３０の上に上端枠５４及び笠木取付プレート５５を配置し、ボルト２６を笠木取付プレート５５のボルト挿通孔５５ａ、上端枠５４のボルト挿通孔５４ａ及び前記柱頭ナット２０のボルト挿通孔２２を挿通させ、柱頭ナット２０の上面２１の裏側に取付けられているナット２５に締め付け螺合させることにより、支柱３０の頭部と前記ボルト２６で挟み込むようにして上端枠５４及び笠木取付プレート５５を固定し、該笠木取付プレート５５に笠木５６を係止し、乾式ブロック構造物５０を構築していた。
【０００５】
【発明が解決しようとする課題】
しかしながら、前記柱頭ナット２０の係止部２４を支柱３０の係止孔３１にうまく係合させるために、係止孔３１の大きさを係止部２４の厚さよりも大きくする必要があり、そのため前記柱頭ナット２０を支柱３０に取付けた際に、係止孔３１に隙間が生じるという問題があった。
【０００６】
また、前記上端枠５４及び前記笠木取付プレート５５を前記支柱３０に連結する際にボルト２６を前記柱頭ナット２０のナット２５に締め付け螺合させ、更に締め付けることによって、係止部２４が前記係止孔３１の上方に引き上げられ、前記係止孔３１に更に大きな隙間ができて柱頭ナット２０ががたついてしまい、支柱３０に上端枠５４及び笠木取付プレート５５を安定して固定できず、その事が結果として乾式ブロック構造物５０の連結強度を弱める要因となっていた。
【０００７】
本発明は、上記課題に鑑みてなされたものであって、本発明は、支柱とプレート等の連結強度を容易に高めることができる柱頭ナットを提供することを目的としている。
【０００８】
【課題を解決するための手段】
上記目的を達成するために、請求項１記載の柱頭ナットは、端縁が中央から縁に向って薄くなるテーパー面に形成された４つの張り出し片を有する十字形状の平板部材をテーパー面側が内側となるように曲折させて形成した逆箱型部材と、該逆箱型部材の下方開口部の内側端縁に位置する前記４つの張り出し片のテーパー面に当接しその外周縁がテーパー面に形成された平板状の底面部材と、これら逆箱型部材と底面部材を連結するボルトとからなり、前記逆箱型部材の上面に形成されたボルト挿通孔から挿入した前記ボルトの雄ネジが前記底面部材の中央部に形成された雌ネジに締め付け螺合することによって、前記底面部材のテーパー面が前記張り出し片のテーパー面を摺動しながら上面上方へ移動しつつ前記４つの張り出し片を外側へ拡張させることを特徴としている。
【０００９】
請求項２記載の柱頭ナットは、前記逆箱型部材の上面から外側へ嵌り込み防止爪を突出させたことを特徴としている。
【００１０】
【発明の実施の形態】
以下、本発明の実施の形態に係る柱頭ナットについて図面に基づいて説明する。図１に示すように、この柱頭ナット１は端縁が中央から縁に向って薄くなるように内側にテーパー面３が形成された４つの張り出し片２ｂを側面とし、且つ下方に開口した逆箱型部材２と、該逆箱型部材２の下方開口部の内側端縁に位置する前記４つの張り出し片２ｂの前記テーパー面３に当接するようにその外周縁にテーパー面１１が形成された平板状の底面部材１０と、これら逆箱型部材２と底面部材１０を連結するボルト１５と、前記逆箱型部材２の上面２ａから外側に突出するように設けられた嵌り込み防止爪５と、を備えている。
【００１１】
なお、この逆箱型部材２及び底面部材１０を上面から見たときの縦方向及び横方向の長さは、それぞれ前記柱頭ナット１を設置する中空で角形の支柱内部の縦方向及び横方向の長さと同程度とする。
【００１２】
前記逆箱型部材２は、図２の（ａ）に示すように４つの張り出し片２ｂを有する平板部材６の上面２ａの中心に、前記ボルト１５を通すためのボルト挿通孔４を形成し、同図（ｂ）に示すように前記４つの張り出し片２ｂに中央から縁に向って一定勾配で薄くなるようにテーパー面３を形成し、前記張り出し片２ｂの二点鎖線７に沿って切れ込みを入れた後、前記上面２ａに対して前記４つの張り出し片２ｂを図中の破線に沿って前記テーパー面３が内側になるように同一方向、所定の角度に曲折させて下方に開口した逆箱型形状に形成したものである。またその際、二点鎖線７に沿って切れ込みを入れておいたことにより前記上面２ａと同一平面で且つ上面２ａから外側へ突出するように形成された嵌り込み防止爪５は、前記柱頭ナット１を支柱の頭部に嵌合させ前記ボルト１５を締め付けて前記柱頭ナット１を支柱の頭部に固定する際に、嵌り込みすぎによって前記柱頭ナット１が支柱内に落下するのを防止する。
【００１３】
なお、この嵌り込み防止爪５は前記柱頭ナット１を支柱の頭部に固定する際に注意して作業を行い、前記柱頭ナット１が支柱内部に嵌り込まなければ、必ずしも設ける必要はないが、この嵌り込み防止爪５を設けることにより、前記柱頭ナット１の支柱の頭部への固定作業がより容易になる。
【００１４】
一方、前記底面部材１０は図３に示すような平板状部材であり、その外周縁には前記逆箱型部材２の４つの張り出し片２ｂの内側に設けられたテーパー面３と当接するように、底面から上面に向って前記底面部材１０の中心方向に傾斜したテーパー面１１が形成されており、また、その中央部には前記ボルト挿通孔４から挿入した前記ボルト１５を挿通させるためのボルト挿通孔１２を備え、該ボルト挿通孔１２には前記ボルト１５の雄ネジ１５ａを締め付け螺合させるための雌ネジ１３が設けられている。また、この底面部材１０は前記雌ネジ１３を十分に確保するために前記平板部材６に対して少し厚めに形成されている。なお、このテーパー面１１の勾配は、この底面部材１０を前記逆箱型部材２のテーパー面３と当接するように配置した際に該テーパー面３とほぼ平行になるようにする。
【００１５】
以上説明した逆箱型部材２、底面部材１０及びボルト１５は、該ボルト１５の雄ネジ１５ａを前記逆箱型部材２の上方からボルト挿通孔４を挿通させて、前記逆箱型部材２のテーパー面３に当接するように配置された前記底面部材１０の中央部に設けられた雌ネジ１３に締め付け螺合することによって柱頭ナット１として一体化される。
【００１６】
以下、この柱頭ナット１を支柱の頭部に一旦固定した後、前記柱頭ナット１から一度ボルト１５を抜き取り、支柱に連結させるプレートを挟み込むようにして再度ボルト１５を締め付け螺合することによって支柱とプレートを連結させる方法について説明する。
【００１７】
まず、図４に示すように前記逆箱型部材２と前記底面部材１０が離れないようにボルト１５の雄ネジ１５ａを底面部材３の雌ネジ１３に前記４つの張り出し片２ａが外側へ拡張しない程度に軽く締め付けておき、この柱頭ナット１を中空の角形鋼管である支柱１７の頭部に嵌合させる。なお、前記柱頭ナット１の上面２ａには該上面２ａから外側に突出した嵌り込み防止爪５が設けられているため、前記柱頭ナット１が支柱１７内に落下することはない。
【００１８】
そして、前記柱頭ナット１をその高さの範囲内で支柱１７の頭部から任意の高さに調節して支え、その状態で前記ボルト１５を更に締め付ける。これにより、前記柱頭ナット１の底面部材１０のテーパー面１１が前記逆箱型部材２の４つの張り出し片２ｂのテーパー面３を摺動しながら上面上方へ移動しつつ、前記４つの張り出し片２ｂを外側へ拡張させることによって支柱１７の内側面を押圧し、前記柱頭ナット１は支柱１７に圧着される。また、柱頭ナット１の上面２ａには嵌り込み防止爪５が設けられているので、嵌り込みすぎて柱頭ナット１が支柱１７内に落下することはない。
【００１９】
このようにして、柱頭ナット１を支柱１７の頭部に一旦固定した後、前記底面部材１０を前記逆箱型部材２から下方向へ押し下げないように注意してボルト１５を反回転させながら柱頭ナット１から抜き取る。その際、前記底面部材１０のテーパー面１１と前記逆箱型部材２のテーパー面３、前記柱頭ナット１の４つの張り出し片２ｂと支柱１７の内側面は互いに強力に喰い込んでいるため、ボルト１５を抜き取った後も互いに密接したままであり、柱頭ナット１の高さが変化したり底面部材１０が前記逆箱型部材２から外れて支柱１７内に落下することはない。
【００２０】
最後に、図５に示すように前記柱頭ナット１の上面２ａの上に固定したいプレート１８等を該プレート１８の有するボルト挿通孔１８ａと前記柱頭ナット１のボルト挿通孔４とが同軸になるように配置し、前記プレート１８を挟み込むようにボルト１５を前記プレート１８のボルト挿通孔１８ａ及び前記柱頭ナット１のボルト挿通孔４を挿通させ、前記底面部材１０の雌ネジ１３に対して前記ボルト１５の雄ネジ１５ａを再度締め付け螺合する。これにより、前記柱頭ナット１が支柱１７に更に強力に固定されると共に、プレート１８はボルト１５と前記柱頭ナット１の上面２ａに締め付けられる形で支柱１７に連結される。
【００２１】
以上説明したように、本発明の柱頭ナット１によれば、柱頭ナット１の上方からボルト１５の雄ネジ１５ａをボルト挿通孔４を挿通させ、逆箱型部材２の下方開口部の内側端縁に位置する４つの張り出し片２ｂのテーパー面３に当接するように設けられた底面部材１０の雌ネジ１３に締め付け螺合させ、更に締め付けることで底面部材１０は上面上方に引き上げられて、底面部材１０のテーパー面１１が４つの張り出し片２ｂのテーパー面３を押圧するので、それにより外側へ拡張した張り出し片２ｂによって支柱１７の内側面が押圧され、支柱１７と柱頭ナット１が強力に固定されると共に、プレート１８を容易に連結することができる。
【００２２】
また、柱頭ナット１はボルト１５を締め付け螺合することによって引き上げられる底面部材１０のテーパー面１１による支柱１７への押圧力によって固定されているため、支柱１７の側面に柱頭ナット１を係止させるための係止孔を設けたり、柱頭ナット１に係止部を設ける必要がなく、そのため、プレート１８を逆箱型部材２の高さの範囲内で支柱１７の頭部から任意の高さに容易に連結させることができる。
【００２３】
なお、支柱１７の形状を本実施の形態で示した角形以外の他の形状に変更することも可能であり、例えば支柱１７が中空の円柱形状の鋼管である場合には、柱頭ナット１の逆箱型部材２の上面２ａを薄い円柱状に、張り出し片２ｂを丸形形状に形成し、底面部材１０を薄い円柱状に形成してプレート１８等を支柱１７に連結させることも可能である。
【００２４】
【発明の効果】
請求項１記載の柱頭ナットによれば、ボルトを柱頭ナットの上方からボルト挿通孔を通して底面部材の中央部に設けられた雌ネジ部に締め付け螺合することによって底面部材が上面上方に引き上げられ、それに伴い底面部材のテーパー面が逆箱型部材の４つの張り出し片及び支柱の内側面を押圧することによって柱頭ナットが支柱に固定されるので、柱頭ナットに係止部を設けたり支柱側面に係止孔を設ける必要がなく、また、支柱とプレートとの連結強度を向上させることが可能である。
【００２５】
請求項２記載の柱頭ナットによれば、逆箱型部材の上面から外側へ突出するように嵌り込み防止爪が設けられているので、嵌り込みすぎによって柱頭ナットが支柱内に落下するのを防止することが可能である。
【図面の簡単な説明】
【図１】本発明の実施の形態に係る柱頭ナットの斜視図である。
【図２】柱頭ナットを作製するための十字形状の平板部材を示した平面図及び断面図である。
【図３】底面部材を説明するための平面図及び断面図である。
【図４】柱頭ナットを支柱に固定する方法を説明するための断面図である。
【図５】支柱に固定されている柱頭ナットにプレートを連結させる方法を説明するための断面図である。
【図６】乾式ブロック構造物に設置される従来の柱頭ナットを示した斜視図である。
【図７】従来の柱頭ナットを示した斜視図である。
【図８】支柱の頭部近傍に設置された柱頭ナットを示した断面図である。
【符号の説明】
１　柱頭ナット
２　逆箱型部材
２ａ　上面
２ｂ　張り出し片
３、１１　テーパー面
４、１２　ボルト挿通孔
５　嵌り込み防止爪
６　十字形状の平板部材
１０　底面部材
１３　雌ネジ
１５　ボルト
１５ａ　雄ネジ
１７　支柱
１８　プレート
【図１】
2004084855.tif 000003
【図２】
2004084855.tif 000004
【図３】
2004084855.tif 000005
【図４】
2004084855.tif 000006
【図５】
2004084855.tif 000007
【図６】
2004084855.tif 000008
【図７】
2004084855.tif 000009
【図８】
2004084855.tif 000010